(57)【要約】【課題】地下埋設貯水施設用の充填部材のコストダウン、軽量化、施工性の向上を図ることができ、しかも、必要な強度を確保することができる充填部材を提供すること。【解決手段】流入水を貯留可能な貯留部内に縦横かつ上下に連続させて充填する充填部材Ａであって、平面視略正方形の四隅に設けられ、充填部材Ａを上下方向に積み重ねる連結部１と、これら連結部１に結合され、上下方向に高さを有した板状の本体リブ２２を有しているとともに、この本体リブ２２で囲まれた部分には、上下方向に貫通した穴２１を有した本体２と、を備えていることを特徴とする充填部材Ａとした。【選択図】図１
2008115531.tif 000002
【特許請求の範囲】
【請求項１】
雨水などの流入水の貯留及び／又は浸透を行う地下埋設型貯水施設に使用し、前記流入水を貯留可能な貯留部内に縦横かつ上下に連続させて充填する充填部材であって、
平面視略正方形の四隅に設けられ、充填部材の上下方向への積層時に連結する連結部と、
これら連結部に結合され、上下方向に高さを有した板状の本体リブを有しているとともに、この本体リブで囲まれた部分に、上下方向に貫通した穴を有した本体と、
を備えていることを特徴とする充填部材。
【請求項２】
前記本体リブが格子状に配列され、
この本体リブで形成された四角枠のそれぞれに、この四角枠の２辺を連結する補強部材が少なくとも１つ設けられていることを特徴とする請求項１に記載の充填部材。
【請求項３】
前記補強部材は、前記１つの四角枠のコーナ部を頂点とする二等辺三角形を形成して隣り合う２辺を連結しており、かつ、他の四角枠に設けられた補強部材と、平面視で同一線上に配置されていることを特徴とする請求項２に記載の充填部材。
【請求項４】
樹脂製であることを特徴とする請求項１〜請求項３のいずれか１項に記載の充填部材。
【請求項５】
前記貯留部を有した地下埋設型貯水施設であって、
前記貯留部として、請求項１〜請求項４のいずれか１項に記載の充填部材を少なくとも上下に連続させて積層した第１の貯留部と、前記流入水に含まれる土砂などの夾雑部を集積させる機能を有した第２の貯留部と、が並設されていることを特徴とする地下埋設型貯水施設。
【発明の詳細な説明】
【技術分野】
【０００１】
本発明は、地下に埋設し雨水などを貯留及び／又は浸透させる貯留部に使用する充填部材およびこの充填部材を備えた地下埋設型貯水施設に関する。
【背景技術】
【０００２】
従来、河川の氾濫時や集中豪雨などの際に余分な雨水などを一時貯留するものとして、調整池に替わり、地下に貯留及び／又は浸透させる地下埋設型貯水施設を埋設するようにしたものが知られている。
【０００３】
そして、このような地下埋設型貯水施設を形成するのにあたり、貯留部内に複数の樹脂製の充填部材を、上下および縦横に連続させて充填させることで貯留部の形状保持を行うようにして、施工性ならびにメンテナンス性を向上させることができ、かつ、集砂機能を有したものが提案されている（例えば、特許文献１参照）。
【特許文献１】特許第３６６０９１７号公報
【発明の開示】
【発明が解決しようとする課題】
【０００４】
しかしながら、特許文献１に記載された充填部材は、充填部材のほぼ全面に亘り板状の本体を有しているため、使用材料が多くなり、その分、コストアップ、重量増、施工性の悪化を招くという問題があった。
【０００５】
本発明は、上述の従来の問題に着目してなされたもので、地下埋設貯水施設用の充填部材のコストダウン、軽量化、施工性の向上を図ることができ、しかも、必要な強度を確保することができる充填部材およびこの充填部材を備えた地下埋設型貯水施設を提供することを目的とするものである。
【課題を解決するための手段】
【０００６】
上述の目的を達成するために、本発明は、雨水などの流入水の貯留及び／又は浸透を行う地下埋設型貯水施設に使用し、前記流入水を貯留可能な貯留部内に縦横かつ上下に連続させて充填する充填部材であって、平面視略正方形の四隅に設けられ、充填部材の上下方向への積層時に連結する連結部と、これら連結部に結合され、上下方向に高さを有した板状の本体リブを有しているとともに、この本体リブで囲まれた部分に、上下方向に貫通した穴を有した本体と、を備えていることを特徴とする充填部材とした。
【０００７】
請求項２に記載の発明は、請求項１に記載の充填部材において、前記本体リブが格子状に配列され、この本体リブで形成された四角枠のそれぞれに、この四角枠の２辺を連結する補強部材が少なくとも１つ設けられていることを特徴とする充填部材とした。
【０００８】
請求項３に記載の発明は、請求項２に記載の充填部材において、前記補強部材は、前記１つの四角枠のコーナ部を頂点とする二等辺三角形を形成して隣り合う２辺を連結しており、かつ、他の四角枠に設けられた補強部材と、平面視で同一線上に配置されていることを特徴とする充填部材とした。
【０００９】
なお、請求項２または請求項３に記載の充填部材において、前記補強部材は、局所的な応力と座屈荷重とに基づいて配置されていることが好ましい。
【００１０】
請求項４に記載の発明は、請求項１〜請求項３のいずれか１項に記載の充填部材において、樹脂製であることを特徴とする充填部材とした。
【００１１】
請求項５に記載の発明は、前記貯留部を有した地下埋設型貯水施設であって、前記貯留部として、請求項１〜請求項４のいずれか１項に記載の充填部材を少なくとも上下に連続させて積層した第１の貯留部と、前記流入水に含まれる土砂などの夾雑部を集積させる機能を有した第２の貯留部と、が並設されていることを特徴とする地下埋設型貯水施設とした。
【発明の効果】
【００１２】
本発明の充填部材は、本体が本体リブを備えるとともに、このリブで囲まれた部分に上下方向に貫通する穴を有した形状に形成したため、全面を板で形成したものと比較して、少なくとも穴を形成した分だけ使用材料を減らすことができ、その分、コストおよび重量を軽減でき、かつ、重量軽減による施工性の向上を図ることができる。
【００１３】
しかも、本体の穴の周囲に、上下方向に高さを有した板状の本体リブを備えているため、埋設時の土圧や施工時の作業者の荷重などに耐えることが可能な強度を確保することができる。
【００１４】
また、本発明の充填部材を積層充填した地下埋設型貯水施設では、雨水などの流入水に含まれている土砂などの夾雑物は、本体を貫通した穴の部分を伝って速やかに下方へ沈降する。
【００１５】
請求項２に記載の充填部材は、上記効果に加え、格子状に形成した本体リブの四角枠の２辺のリブを連結する補強部材を備えているため、各片への入力が分散されて、補強部材を設けない構成に比べて、強度を向上させることができる。
【００１６】
請求項３に記載の充填部材は、補強部材が、コーナ部を頂点とする二等辺三角形を形成して隣り合う２辺を連結しているため、格子状の四角枠のコーナ部の拡がり方向の変形を抑制でき、しかも、補強部材が、平面視で同一線上に配置されていることで、入力を効率的に分散させることができる。
【００１７】
したがって、請求項３に記載の発明は、上記効果に加えて、少ない補強部材により、効率的に充填部材の強度を向上させることが可能となる。
【００１８】
なお、補強部材を、局所的な応力と座屈荷重とに基づいて配置することで、応力解析により埋設時の土圧による踏分布荷重を考慮した適切な補強を行うことができ、かつ、座屈解析により強度的に弱い部分を把握して適切な補強を行うことができ、しかも、作業者の荷重を考慮した局所的な応力発生にも耐えられる最適設計とすることができるという効果が得られる。
【００１９】
請求項４に記載の充填部材は、樹脂製としたため、一体成形することが可能であり、製造容易である。
【００２０】
請求項５に記載の地下埋設型貯水施設では、第１の貯留部では、流入水が貯留される。また、第２の貯留部では、流入水に含まれる土砂などの夾雑物が、この第２の貯留部が有する集積機能により、あらかじめ設定された方向に集積される。
【００２１】
したがって、貯留部の容積としては、第１の貯留部と第２の貯留部とを併せた容積が得られ、一方、集積された夾雑物の回収などのメンテナンスを行うのは、第２の貯留部だけで済ませることができる。
【００２２】
このように、用途に応じ、夾雑物の回収メンテナンスが不要な部位には、上述のようにコスト、重量および施工性に優れた充填部材を用いた第１の貯留部を設けることで、地下埋設型貯水施設全体のコスト、重量および施工性を向上させることができる。
【発明を実施するための最良の形態】
【００２３】
以下、本発明の実施の形態を図面に基づいて説明する。
【００２４】
（実施の形態１）
図１および図２は、実施の形態１の充填部材Ａを示している。なお、図１は、充填部材Ａを斜め上方から視た斜視図であり、図２は、充填部材Ａを斜め下方から視た斜視図である。
【００２５】
まず、この充填部材Ａの構成を説明する。
【００２６】
充填部材Ａは、ポリエチレン、ポリプロピレン、塩化ビニル、ポリエチレンテレフタレート等のプラスチックや、これらの廃プラスチックなどの樹脂による一体成形により全体で上方から視て略正方形に形成されており、四隅に設けられた連結部１と、これら連結部１に結合された本体２と、を備えている。
【００２７】
連結部１は、厚さが４〜５ｍｍ程度の肉厚の板材により、上方から視て直角二等辺三角形状の筒状に形成されており、かつ、上部柱部１１と、この上部柱部１１の内周に嵌合可能に上部柱部１１よりも相対的に断面積が小さく形成された下部柱部１２と、を備えている。
【００２８】
したがって、充填部材Ａの連結部１の上部柱部１１に、他の充填部材Ａの下部柱部１２を、上方から差し込んで嵌め合せることにより充填部材Ａ，Ａ同士を、連結部１の高さのピッチで積み重ねることができる。
【００２９】
また、連結部１は、連結部補強リブ１３により補強されている。
【００３０】
この連結部補強リブ１３は、上下方向に高さを有した板状に形成されており、連結部１の直角のコーナ部とで正方形を形成するように連結部１の３辺を連結して、上方から視て略Ｌ字状の上下方向に延在されたリブ部１３ａと、このリブ部１３ａの下端から略水平方向に延在されたフランジ部１３ｂと、を備えている。
【００３１】
本体２は、格子状に形成されて、上下方向に貫通された四角形の穴２１が複数形成されており、本体リブ２２と、本体フランジ部２３と、補強リブ（補強部材）２４と、を備えている。
【００３２】
本体リブ２２は、上下方向に延在された厚さが４〜５ｍｍ程度の板材を、格子状に等ピッチに配置して形成されている。なお、本体リブ２２のピッチは、連結部１に重なる部分が２ピッチに相当するピッチで配列されている。
【００３３】
本体フランジ部２３は、本体リブ２２の上端に一体に形成され、その上面が連結部１の上面と同一面に配置されており、穴２１はこの本体フランジ部２３に囲まれて形成されている。
【００３４】
補強リブ２４は、本体リブ２２よりも上下方向寸法が小さな板材により形成されており、その上端面が本体フランジ部２３と同一面に配置され、かつ、下端面が、本体リブ２２の中間位置に配置されている。
【００３５】
さらに、補強リブ２４は、本体リブ２２により形成された格子の１つの四角形の枠に、１枚だけ設けられた１枚リブ２４（ａ）と、２枚設けられた２枚リブ２４（ｂ）と、３枚設けられた３枚リブ２４（ｃ）と、が存在する。
【００３６】
これら各リブ２４（ａ），２４（ｂ），２４（ｃ）は、いずれも、１つの四角枠を構成する４辺のうちの２辺を、コーナ部とで直角二等辺三角形を形成するように、この２辺の中間部分同士を連結して形成されている。
【００３７】
３枚リブ２４（ｃ）は、図示のように、本体２の中央位置ＣＰを囲む４つの四角枠に設けられ、中央位置を中心として十字の外枠を形成するように配置されている。
【００３８】
２枚リブ２４（ｂ）は、上記３枚リブ２４（ｃ）により形成された十字の外側に相似の十字の外枠を形成するように、３枚リブ２４（ｃ））と重なる中央の２列に配置された四角枠に設けられ、１枚リブ２４（ａ）は、これらの２枚リブ２４（ｂ）とにより十字を描くように、２枚リブ２４（ｂ）と同一線上に配置されている。
【００３９】
また、１枚リブ２４（ａ）は、連結部１に最も近くに配置された四角枠にも、その内側の四角枠の補強リブ２４と平行に配置されている。
【００４０】
上述した補強リブ２４は、座屈解析ならびに応力解析に基づいて設けられている。
【００４１】
すなわち、実施の形態１の充填部材Ａでは、格子状の本体２の中央位置ＣＰが座屈する可能性があることが確認できたため、その中央位置を囲むようにして、３枚リブ２４（ｃ）を設定した。
【００４２】
さらに、応力解析に基づき、土圧を想定した等分布荷重をかけて、座屈解析では把握できない局所的な応力分布を得、これに応じて補強リブ２４を配置している。
【００４３】
加えて、作業者が乗った場合の荷重を想定して、局所的な応力が発生することを確認して、これに有効に補強できるように補強リブ２４を配置している。
【００４４】
図３は、実施の形態１の充填部材Ａおよび後述する連結部材６を用いて形成した地下埋設型貯水施設Ｃの概略を示す構造説明図である。
【００４５】
この地下埋設型貯水施設Ｃは、例えば、大雨が降ったときに雨水を一時的に貯留し、河川流量が急激に増大するのを抑制し、貯留した雨水などを植木への散水や洗車用水、非常時の生活用水や防火用水として利用するのに用いられる。
【００４６】
この地下埋設型貯水施設Ｃは、地面ＧＬを掘下げて形成した貯留部３に、充填部材Ａを水平方向に並べて設置するととともに、上下方向に連結部材６を介して充填部材Ａを複数積層することで、貯留空間Ｄを形成し、この貯留空間Ｄの上部を被覆部材４で覆って形成されている。
【００４７】
なお、貯留空間Ｄは、図示を省略した雨水などの導く導水手段に接続されているとともに、外部に水を供給する図示を省略した供給手段が接続されているものとする。
【００４８】
貯留部３は、地面ＧＬを、例えば１〜１０ｍ程度の深さで平面形状が矩形状に掘下げて形成し、その底面は割栗石などを敷き詰めて突き固め、さらに、貯留部３の外周には、防水シート５が敷設されている。防水シート５としては厚さが１．５ｍｍ以上の合成ゴムまたは樹脂系シートまたはアスファルト系シートを使用することができる。
【００４９】
被覆部材４は、例えば、被覆ボードの上に防水シートを重ねて形成され、貯留部３の上部に載置されている。さらに、この被覆部材４の上には、埋め戻しの土７が被せられている。
【００５０】
前述のように貯留部３は、充填部材Ａと連結部材６とを上下に積層して形成されており、本実施例１では、充填部材Ａを４段積層するのにあたり、各充填部材Ａの間に連結部材６が介在されているとともに、最も上に配置された充填部材Ａと、その上に配置された被覆部材４との間にも１段の連結部材６が介在されている。
【００５１】
ここで連結部材６について説明すると、三角筒状の連結部１を繋ぐものであり、図４に示すように、三角の有底筒状の上部嵌合部６１と、この上部嵌合部６１の内側から下方に延在された下部嵌合部６２と、を備えている。
【００５２】
上部嵌合部６１は、その内周を、充填部材Ａの連結部１の下部柱部１２の外周と嵌合可能に形成されている。
【００５３】
下部嵌合部６２は、その外周を、充填部材Ａの連結部１の上部柱部１１の内周と嵌合可能に形成されている。
【００５４】
そして、この連結部材６を、充填部材Ａの間に介在させることにより、充填部材Ａのみを積層する場合よりも、充填部材Ａを積層するピッチを大きくすることができる。
【００５５】
次に、実施の形態１の作用について説明する。
【００５６】
地下埋設型貯水施設Ｃでは、図外の導水手段から導入された雨水などが、貯留空間Ｄに蓄えられる。また、この貯留空間Ｄに蓄えた水は、図外の供給手段により外部に取り出して、植木などへの散水や洗車用水や非常時の生活用水や防火用水として利用することができる。
【００５７】
本地下埋設型貯水施設Ｃでは、導水手段からは、夾雑物が含まれにくい水、例えば、集合住宅の屋根に降った雨水などを導くようにするようにしており、夾雑物を回収するメンテナンスは行わないようにしている。
【００５８】
なお、導水手段から流入に土砂などの夾雑物が含まれている場合には、それ自身の重量により、充填部材の本体に開口された穴を通って、速やかに貯留空間の下部に貯留される。また、導水手段に夾雑物の一次除去手段を設け、導水手段において、或る程度夾雑物を除去するようにしてもよい。
【００５９】
以上説明した実施の形態１の充填部材Ａにあっては、樹脂の一体成形品としたため、製造が容易である。
【００６０】
しかも、本体２を格子状に形成して本体２に穴２１が開口されているため、本体２の全体を板状に形成した場合に比べて、使用する樹脂量を減らすことができ、その分、コストならびに重量を軽減することができ、重量軽減により施工も容易となる。
【００６１】
さらに、格子状の本体２は、上下方向に高さを有した板状の本体リブ２２と、この本体リブ２２よりも高さが低い補強リブ２４と、を用い、かつ、補強リブ２４は、座屈解析ならびに応力解析に基づいて、必要な土圧に対する耐圧強度ならびに作業者が乗った場合のような局所荷重に耐えられるように配置している。
【００６２】
このため、樹脂の使用量を抑えて軽量化を図りながらも、必要な強度を確保することができる。
【００６３】
すなわち、本実施の形態１の充填部材Ａでは、補強リブ２４を、本体リブ２２で形成される四角枠のコーナ部を頂点とする二等辺三角形を形成して隣り合う２辺を連結しているため、四角枠のコーナ部の拡がり方向の変形を抑制でき、しかも、補強リブ２４が、平面視で同一線上に配置されていることで、入力を効率的に分散させることができる。
【００６４】
具体的な解析例を示すと、補強リブ２４を全く設けないものの場合、全重量が６．６３ｋｇで座屈荷重３７．８ｋＮであったのに対し、本実施形態１の充填部材Ａは、全重量が６．６９ｋｇで、座屈荷重８３．１ｋＮに向上させることができた。
【００６５】
また、他の実施の形態の充填部材５Ａとして、図５に示すように、本体５０２において実施の形態１と同様の本体リブ２２（この図では、本体フランジ部２３に隠れて表れていない）で形成された全ての四角枠において対向する２辺に架け渡してクロス状に形成した補強リブ５２４を設けたものでは、実施の形態１と同等の座屈荷重８２．８ｋＮを得ることができたが、全重量は６．７７ｋｇであった。
【００６６】
このように、実施の形態１では、補強リブ２４を的確に配置することにより、補強リブ２４の使用量を抑えて全重量を低く抑えながら、高い強度を得ることができる。
【００６７】
（他の実施の形態）
以下に、他の実施の形態について説明する。なお、これら他の実施の形態の説明にあたり、実施の形態１と同一あるいは均等の構成には、実施の形態１と同一の符号を付けてその説明を省略する。
【００６８】
（実施の形態２）
実施の形態１の充填部材Ａを用いた実施の形態２の地下埋設型貯水施設Ｅを図６および  図７に基づいて説明する。
【００６９】
この地下埋設型貯水施設Ｅは、機能が異なる第１の貯留部Ｅ１と第２の貯留部Ｅ２と、の２つの貯留部を備えている。
【００７０】
第１の貯留部Ｅ１は、単純に流入水の貯留のみを目的とする貯留部であって、実施の形態１の充填部材Ａを水平方向に並べるとともに、上下方向に積層して形成されている。
【００７１】
一方、第２の貯留部Ｅ１は、流入水に含まれている土砂などの夾雑物を、所定の部位に集積する機能を有しており、実施の形態１の充填部材Ａと、後述する土砂などの夾雑物を所定方向に誘導する誘導板を有した第２の充填部材２Ａと、で構成されている。
【００７２】
なお、本実施の形態２では、例えば、第１の貯留部Ｅ１には、実施の形態１で説明した集合住宅の屋根に降った雨水を集めて流入させる第１の導水手段を接続し、第２の貯留部Ｅ２には、敷地内の地上に降った雨水や河川であふれた水などを流入させる第２の導水手段を接続して使用するのに用いる。
【００７３】
ここで第２の貯留部Ｅ２に用いる第２の充填部材２Ａについて図７に基づき説明する。なお、この第２の充填部材２Ａは、特許文献１に記載された充填部材と同様のものであるので説明を簡単に行う。
【００７４】
この第２の充填部材２Ａは、樹脂による一体成形品であり、連結部２０１と本体２０２とを備えている。
【００７５】
連結部２０１は、実施の形態１の充填部材Ａの連結部１と同様のものであり、上部柱部２１１と下部柱部２１２とを備えている。
【００７６】
本体２０２は、連結部２０１を連結しており、誘導板２０２ａと補強リブ２０２ｂとを備えている。
【００７７】
誘導板２０２ａは、図において、矢印Ｓ方向に下がるように傾斜して設けられている。
【００７８】
補強リブ２０２ｂは、上下方向に高さを有した板状のもので、誘導板２０２ａの裏面に格子状に設けられている。なお、補強リブ２０２ｂの上下方向寸法は、誘導板２０２ａの傾斜が下がった部分では、中間部よりも小さく形成されている。
【００７９】
そこで、第２の貯留部Ｅ２は、図６に示す状態で幅方向の中央部に、実施の形態１の充填部材Ａを連結部材６を介在させて上下方向に積層するとともに、この充填部材Ａを挟んで左右に、第２の充填部材２Ａを、その誘導板２０２ａの傾斜方向が充填部材Ａを向けた状態で、連結部材６を介在させて上下方向に積層している。
【００８０】
なお、充填部材Ａおよび第２の充填部材２Ａは、図示のように積層されたものが、図面の前後方向に複数並べられているものとする。
【００８１】
さらに、本実施の形態２では、充填部材Ａを積層した部分の一部に、メンテナンス用に充填部材Ａを積層しない図示を省略したマンホール部分を設けているものとする。
【００８２】
したがって、地下埋設型貯水施設Ｅでは、第１の貯留部Ｅ１では、流入水が貯留される。また、第２の貯留部Ｅ２では、流入水に含まれる土砂などの夾雑物は、第２の充填部材２Ａの誘導板２０２ａに誘導されて、充填部材Ａを積層させた部分に集められ、この部分では、土砂などは、穴２１を通って沈降する。
【００８３】
このようにして集積された土砂などの夾雑物は、前述したマンホール部分を利用して回収する。
【００８４】
したがって、実施の形態２の地下埋設型貯水施設Ｅでは、貯留部全体の容積としては、第１の貯留部Ｅ１と第２の貯留部Ｅ２とを併せた容積が得られ、一方、集積された夾雑物の回収などのメンテナンスを行うのは、第２の貯留部Ｅ２だけで済ませることができる。
【００８５】
このように、用途に応じ、夾雑物の回収メンテナンスが不要な部位には、上述のようにコスト、重量および施工性に優れた充填部材Ａを用いた第１の貯留部Ｅ１を設けることで、地下埋設型貯水施設Ｅの全体のコスト、重量を軽減させるとともに、施工性を向上させることができる。
【００８６】
以上、図面を参照して、本発明の実施の形態１および実施の形態２について詳述してきたが、具体的な構成は、この実施の形態１，２に限定されるものではなく、本発明の要旨を逸脱しない程度の設計的変更は、本発明に含まれる。
【００８７】
例えば、実施の形態１の充填部材Ａでは、格子状の本体２の下面に、格子状に沿って１枚の本体リブ２２を設け、その上端に本体フランジ部２３を形成したものを示したが、本体フランジ部２３を形成せずに、本体リブ２２のみで本体２を形成してもよい。
【００８８】
また、実施の形態１では、本体２に、本体フランジ部２３で囲まれた四角形の穴が貫通されているものを示したが、本体フランジ部２３で形成される穴の形状は、四角に限らず、三角などの他の多角形形状や、丸や楕円など他の形状に形成してもよい。
【００８９】
また、実施の形態１では、本体リブ２２として格子状に配列したものを示したが、これに限定されず、ハニカム状など他の形状に形成してもよい。
【００９０】
また、実施の形態２では、流入水に含まれる土砂などの夾雑部を集積させる機能を有した第２の貯留部Ｅ２において、集積機能を有するものとして樹脂製の第２の充填部材２Ａを示したが、これに限定されるものではなく、フィルタやスクリーンなどを用いてもよいし、あるいは夾雑物を集積するのにあたり、沈砂槽のような沈降により集める手段を用いてもよい。
【００９１】
また、実施の形態１では、補強部材として、板状の補強リブ２４を示したが、これに限定されず、棒状など他の形状のものを用いてもよい。
【００９２】
また、実施の形態１では、充填部材Ａとして、樹脂により一体成形されたものを示したが、これに限定されず、本体と連結部とで別体に形成したものを結合させてもよく、その場合、樹脂以外の素材で形成してもよいし、あるいは、それぞれを異なる材質で形成してもよい。
【図面の簡単な説明】
【００９３】
【図１】本発明の実施の形態１の充填部材Ａを斜め上方から視た斜視図ある。
【図２】本発明の実施の形態１の充填部材Ａを斜め下方から視た斜視図である。
【図３】本発明の実施の形態１の充填部材Ａおよび連結部材６を用いて形成した地下埋設型貯水施設Ｃの概略を示す構造説明図である。
【図４】本発明の実施の形態１の充填部材Ａを連結するのに用いる連結部材６を示す斜視図であって、（ａ）は斜め上方から見た状態を示し、（ｂ）は斜め下方から視た状態を示す。
【図５】本発明の他の実施の形態の充填部材５Ａを示す斜め上方から見た斜視図である。
【図６】本発明の実施の形態２の地下埋設型貯水施設Ｅを示す構造説明図である。
【図７】本発明の実施の形態２の地下埋設型貯水施設Ｅの第２の貯留部Ｅ２に用いた第２の充填部材２Ａを示す斜め上方から視た斜視図である。
【符号の説明】
【００９４】
１     連結部
２     本体
３     貯留部
２１   穴
２２   本体リブ
２４   補強リブ
５０２ 本体
５２４ 補強リブ
Ａ     充填部材
５Ａ   充填部材
Ｃ     地下埋設型貯水施設
Ｅ     地下埋設型貯水施設
Ｅ１   第１の貯留部
Ｅ２   第２の貯留部
【図１】
2008115531.tif 000003
【図２】
2008115531.tif 000004
【図３】
2008115531.tif 000005
【図４】
2008115531.tif 000006
【図５】
2008115531.tif 000007
【図６】
2008115531.tif 000008
【図７】
2008115531.tif 000009